(57)【要約】      （修正有）【課題】形態を変化させる機能と、封止フィルムを貫通するための尖った先端とを備え、飲料を収容した容器に貼付して用いる環境負荷を低減できる紙製ストローを提供する。【解決手段】長手方向に対して垂直な円弧状の複数の凹凸を有する紙製ストローであって、一方の端部が尖った形状を有し、ストローがＵ字状に湾曲した状態で個包装されている。【選択図】図１
0003225206.tif 000002
【実用新案登録請求の範囲】
【請求項１】
長手方向に対して垂直な円弧状の複数の凹凸を有する紙製ストローであって、前記紙製ストローの一方の端部が尖った形状を有し、前記紙製ストローがＵ字状に湾曲した状態で個包装されている、紙製ストロー。
【考案の詳細な説明】
【技術分野】
【０００１】
本考案は、飲料を収容した容器に貼付して用いる紙製ストローに関する。
【背景技術】
【０００２】
スーパーマーケット、コンビニエンスストア、自動販売機などで、紙パックに収容された多種多様な飲料が市販されている。このような容器には、コップなどに移さずに飲めるように、ストローが付属していることが多い。
【０００３】
一般に流通しているストローの多くは、プラスチック製である。プラスチック製のストローは、環境問題の原因になるとして、削減への取り組みが進められている。例えば、諸外国において複数の世界的な飲食チェーンが、プラスチック製のストローを廃止することを表明している。また、日本国内においても同様に、プラスチック製ストローの提供を廃止した飲食店や、将来的に廃止することの検討を始めた企業が存在する。
【０００４】
しかし、紙パックのような容器で提供される飲料は、コップなどに移すことができなければ、ストローを用いずに飲むことは困難である場合が多い。特に、直方体の形状で、容器の上部にストローを差し込むためのストロー挿入部を設けた容器の場合、容器の一部を開いて、内容物をコップなどに移すことは想定されていない。したがって、このような容器では、ストローの存在は必須である。
【０００５】
従来のプラスチック製のストローに代替するものとして、紙製のストローが注目されている。紙製ストローは、自然界に存在する微生物の働きによって分解される。そのため、適正に処理されず自然界に流出した場合であっても、環境に与える悪影響を低減させることができる。
【０００６】
こうした紙製ストローは、紙製の基材を接着剤で接着し、筒状に形成することで製造される。接着剤としては、酢酸ビニル等の樹脂や、デンプン系の糊がよく使用される。これらは３０分程度の浸漬であれば接着成分が溶出することはなく、安全性に問題はないとされている。また、食品衛生法においても、これらの接着成分の使用を禁止する規定はない。
【０００７】
特許文献１には、液体食品を充填した紙容器に取り付ける、Ｕ字状ストローを容易に取り出すことのできる包装袋が開示されている。しかしながら、ストローの素材として、柔軟材質の熱可塑性樹脂材を用いることが記載されている。したがって、紙製ストローを用いる本考案とは、技術的な思想が異なる。
【先行技術文献】
【特許文献】
【０００８】
【特許文献１】特開２０１１−１２６５７７号公報
【考案の概要】
【考案が解決しようとする課題】
【０００９】
紙パックなどの容器に収容された飲料には、ストローが付属していることが多い。しかし、現在流通しているストローの多くはプラスチック製であり、より環境負荷が小さい代替品として、紙製ストローが注目されている。このような容器に貼付して用いるストローには、容器の１つの面からはみ出さずに貼付するため、形態を変化させる機能が必要となる。また、容器のストロー挿入部が備える封止フィルムを貫通するため、先端が尖っていることが必要となる。
【００１０】
本考案は、環境負荷の低減に資するため、形態を変化させる機能と、封止フィルムを貫通するための尖った先端とを備える、飲料を収容した容器に貼付して用いる紙製ストローを提供することを目的とする。
【課題を解決するための手段】
【００１１】
上記課題を解決するため、本考案は、長手方向に対して垂直な円弧状の複数の凹凸を有する紙製ストローであって、前記紙製ストローの一方の端部が尖った形状を有し、前記紙製ストローがＵ字状に湾曲した状態で個包装されている、紙製ストローを提供する。
【考案の効果】
【００１２】
湾曲させることが可能なストローは一般に、蛇腹状に設けられた凹凸部においてのみ曲がり、それ以外の部分は直線状のままである。凹凸部以外の部分を曲げると、筒状の形状が潰れて断面積が小さくなり、飲用における使用に不都合を生じる。本考案の紙製ストローは、十分に狭い間隔で凹凸を有することにより、断面を潰すことなく、Ｕ字状に湾曲させることが可能になる。
【００１３】
本考案の紙製ストローが貼付される飲料容器は、例えば、基材の一部にパンチ穴が形成され、飲料を収容した後に、パンチ穴を封止フィルムで封止したものが想定される。このような容器は、封止フィルムにストローを突き刺し、貫通させて内容物を飲用する。本考案の紙製ストローは、一方の端部が尖った形状を有する。そのため、突き刺した際に先端部に力が集中し、封止フィルムを容易に貫通することができる。
【図面の簡単な説明】
【００１４】
【図１】図１は、本考案による紙製ストローの斜視図である。
【考案を実施するための形態】
【００１５】
以下、本考案による紙製ストローについて詳細に説明する。
【００１６】
本考案による紙製ストローに用いる紙製基材は、ストローとして製造および使用するのに十分な、剛性および強度を有することが求められる。また、飲用に用いるため、耐水性を有すると同時に、使用中に溶出するようなコーティングおよび添加剤等を含まないことを要する。さらに、環境に与える負荷を抑制するという本考案の目的から、自然界の微生物によって分解される必要がある。これらの条件を満たす限り、任意の素材を用いることができる。
【００１７】
本考案による紙製ストローに用いる接着剤としては、使用中に溶出する成分を含有せず、生分解性を有する任意の物質を用いることができる。例えば、酢酸ビニル等の樹脂や、デンプン系の糊、パラフィンワックス、シェラック、ポリ乳酸などが挙げられるが、これらに限定されない。
【００１８】
本考案による紙製ストローが有する円弧状の凹凸は、周囲の部分に対して窪んだ部分、または張り出した部分を指す。ストローを湾曲させた際、湾曲の内側の部分には筒体を押し縮める力が働き、湾曲の外側の部分には筒体を引き伸ばす力が働く。このときの歪みを解消するため、凹凸がなければ内部空間が潰れ、また、力を加えるのをやめると弾性力によって直線状に戻ってしまう。本考案による紙製ストローは、凹凸を設けることによって、これらの力を吸収する。そのため、内部空間を潰さずにＵ字状にまで湾曲させ、湾曲状態を維持することが可能となる。
【００１９】
凹凸の形状は、断面が矩形もしくは三角形など、湾曲時に基材に生じる圧縮および引張りの力を吸収可能であれば、任意の形状であってよい。また、凹凸の個数および間隔も任意である。ただし、凹凸の個数が少ないと、内部空間を潰さずにＵ字状にまで湾曲させることができない。したがって、所望するストローの長さの範囲内に、Ｕ字状の湾曲を実現するのに十分な数の凹凸を備えることを要する。
【００２０】
本考案による紙製ストローは、一方の端部が尖った形状を有する。この形状は、例えば、製造時にストローの端部を斜めに裁断することによって得ることができる。斜めに裁断する工程は、長い筒体を個々のストロー製品に切り分ける際に行ってもよく、あるいはストローを所定の長さに裁断した後に、先端部を斜めに切り取ってもよい。
【００２１】
飲料を収容した容器に貼付して用いるという本考案の目的のため、本考案の紙製ストローは、容器に応じた寸法条件が求められる。ストローが短いために先端が容器の底に達しないようでは、飲み残しが発生する。したがって、ストローの長さは、容器の縦方向の長さよりも長いことを要する。また、ストローが短いと、使用中にストローが容器内に入り、取り出せなくなる場合がある。したがって、ストローは、容器の最も長い立体の対角線より、長いことが好ましい。
【００２２】
一方で、貼付時に容器から突出した部分があると、輸送や保管の際に非効率な空間の発生しうる。また、ものが引っかかり、紙製ストローや貼付部分に損傷が発生する原因となりうる。したがって、飲料を収容した容器に貼付して用いるという本考案の目的のため、貼付する形態においては、飲料容器の１つの面内に収まる寸法であることが望ましい。
【００２３】
かかる要求を満足するため、本考案の紙製ストローは、Ｕ字状に湾曲した状態で個包装される。ここで、「Ｕ字状に湾曲」とは、細長い物体の両方の先端が、概ね同一方向を向くことを指す。例えば、１５０°程度湾曲させた状態はこれに含まれる。したがって、湾曲部から伸びた両側の長さが等しいことを含意しない。すなわち、本明細書および実用新案請求の範囲において、「Ｊ字状」に見える状態であっても、「Ｕ字状」に含まれるものとする。
【００２４】
個包装に用いる包装材としては、ポリプロピレンのような、ヒートシール性のあるフィルムを用いることができる。あるいは、さらに環境に配慮した製品として、本考案の紙製ストローを紙で包み、糊や接着剤で封止してもよい。
【００２５】
なお、本考案は上記の実施形態に限定されるものではなく、本考案の趣旨に基づいて種々変形させることが可能であり、それらを本考案の範囲から排除するものではない。
【図１】
0003225206.tif 000003